(57)【要約】【課題】教材データが映像部分を含む場合に、組織内の機器等の設置や維持のためのコストを低減できるようにし、学習対象者の学習履歴を確認できるようにすることを目的とする。【解決手段】学習管理サーバ３０は、教材データベース３６から教材テキスト情報を抽出し、ＬＡＮ９０を介して利用者端末１０に送信する。学習管理サーバ３０は、教材データに映像部分が含まれると判定した場合には、映像配信サーバ７０から取得した映像ファイルアドレスを、ＬＡＮ９０を介して、利用者端末１０に送信する。映像配信サーバ７０は、利用者端末１０から映像開始情報を受信すると、通信ネットワークを介して、利用者端末１０に教材映像情報の配信を開始する。そして、利用者端末１０への配信が終わると、映像配信サーバ７０は、学習管理サーバ３０に、通信ネットワークを介して視聴情報を送信する。【選択図】  図１
2004206304.tif 000002
【特許請求の範囲】
【請求項１】
組織内における学習対象者が使用する利用者端末と、前記学習対象者の学習履歴を管理する学習管理サーバと、通信ネットワークを介して前記利用者端末及び前記学習管理サーバと接続され、教材に関する映像情報を配信する映像配信サーバとを含む学習システムであって、
前記学習管理サーバは、
前記学習対象者に提供する教材のうち、映像以外の部分の情報である非映像教材情報を記憶する非映像教材情報記憶手段と、
前記非映像情報記憶手段から非映像教材情報を抽出して、抽出した前記非映像教材情報を、組織内ネットワークを介して前記利用者端末に送信する非映像教材情報送信手段とを備え、
前記映像配信サーバは、
前記学習対象者に提供する教材のうち、映像部分の情報である映像教材情報を記憶する映像教材情報記憶手段と、
前記映像情報記憶手段から映像教材情報を抽出して、抽出した前記映像教材情報を、前記通信ネットワークを介して前記利用者端末に配信する映像教材情報配信手段とを備えた
ことを特徴とする学習システム。
【請求項２】
映像配信サーバは、映像教材情報配信手段が利用者端末に配信した映像教材情報に関する履歴情報である視聴履歴情報を、通信ネットワークを介して、学習管理サーバに送信する視聴履歴情報送信手段を備え、
学習管理サーバは、
前記視聴履歴情報を、前記通信ネットワークを介して前記映像配信サーバから受信する視聴履歴情報受信手段と、
前記視聴履歴情報受信手段が受信した視聴履歴情報を記憶する履歴情報記憶手段とを備えた
請求項１記載の学習システム。
【請求項３】
学習管理サーバは、
教材に映像部分が含まれるか否かを判定する映像判定手段と、
前記映像判定手段が教材に映像部分が含まれると判定した場合に、映像配信サーバにおける映像教材情報の格納場所を示す映像格納情報を、組織内ネットワークを介して利用者端末に送信する映像格納情報送信手段とを備え、
利用者端末は、前記映像格納情報に基づいて、前記映像教材情報の配信を要求する旨の映像配信要求情報を、通信ネットワークを介して映像配信サーバに送信する
請求項１または請求項２記載の学習システム。
【請求項４】
学習管理サーバは、学習対象者の学習の履歴情報である学習履歴情報を、組織内ネットワークを介して、利用者端末から受信する学習履歴情報受信手段を備え、
履歴情報記憶手段は、視聴履歴情報とともに、前記学習履歴情報受信手段が受信した学習履歴情報を記憶する
請求項２または請求項３記載の学習システム。
【請求項５】
複数の映像配信サーバを含む請求項１から請求項４のうちのいずれか１項に記載の学習システム。
【請求項６】
組織内における学習対象者の学習履歴を管理する学習管理サーバであって、
前記学習対象者に提供する教材のうち、映像以外の部分の情報である非映像教材情報を記憶する非映像教材情報記憶手段と、
前記非映像情報記憶手段から非映像教材情報を抽出して、抽出した前記非映像教材情報を、組織内ネットワークを介して前記学習対象者が使用する利用者端末に送信する非映像教材情報送信手段と、
通信ネットワークを介して前記利用者端末及び前記学習管理サーバと接続され、前記学習対象者に提供する教材のうち映像部分の情報である映像教材情報を管理する映像配信サーバが、前記利用者端末に配信した前記映像教材情報に関する履歴情報である視聴履歴情報を、前記通信ネットワークを介して前記映像配信サーバから受信する視聴履歴情報受信手段と、
前記視聴履歴情報受信手段が受信した視聴履歴情報を記憶する履歴情報記憶手段とを備えた
ことを特徴とする学習管理サーバ。
【請求項７】
組織内の学習対象者が使用する利用者端末及び前記学習対象者の学習履歴を管理する学習管理サーバと通信ネットワークを介して接続され、教材に関する映像情報を配信する映像配信サーバであって、
前記学習対象者に提供する教材のうち、映像部分の情報である映像教材情報を記憶する映像教材情報記憶手段と、
前記映像情報記憶手段から映像教材情報を抽出して、抽出した前記映像教材情報を、前記通信ネットワークを介して前記利用者端末に配信する映像教材情報配信手段と、
前記映像教材情報配信手段が前記利用者端末に配信した映像教材情報に関する履歴情報である視聴履歴情報を、前記通信ネットワークを介して、前記学習管理サーバに送信する視聴履歴情報送信手段とを備えた
ことを特徴とする映像配信サーバ。
【請求項８】
映像教材情報配信手段が利用者端末に映像教材情報を連続して配信した配信時間を算出し、前記配信時間を履歴情報として含む視聴履歴情報を、通信ネットワークを介して、学習管理サーバに送信する請求項７記載の映像配信サーバ。
【請求項９】
組織内における学習対象者の学習履歴を管理するための学習管理プログラムであって、
コンピュータに、
前記学習対象者に提供する教材のうち映像以外の部分の情報である非映像教材情報を抽出する処理と、
抽出した前記非映像教材情報を、組織通信ネットワークを介して前記学習対象者が使用する利用者端末に送信する処理と、
通信ネットワークを介して前記利用者端末及び前記学習管理サーバと接続され、前記学習対象者に提供する教材のうち映像部分の情報である映像教材情報を管理する映像配信サーバが、前記利用者端末に配信した前記映像教材情報に関する履歴情報である視聴履歴情報を、前記通信ネットワークを介して前記映像配信サーバから受信する処理と、
前記学習対象者の学習の履歴情報である学習履歴情報を、組織内ネットワークを介して前記利用者端末から受信する処理とを
実行させるための学習管理プログラム。
【発明の詳細な説明】
【０００１】
【発明の属する技術分野】
本発明は、映像を含んだ教材を学習対象者に提供する学習システムと、組織内における学習対象者の学習履歴を管理する学習管理サーバ及び学習管理プログラムと、組織外に設置され教材の映像データを配信する映像配信サーバとに関する。
【０００２】
【従来の技術】
特許文献１には、コンピュータ等に習熟していなくても、コンピュータ等を活用して効率的且つ効果的な授業を容易に行える授業支援システムが記載されている。特許文献１に記載された授業支援システムは、配信センタに設置される配信サーバと、学校等に設置される教材サーバとを含む。配信サーバは、授業で用いられる教材データを蓄積し、インターネットを介して教材サーバに教材データを配信する。教材サーバは、配信された教材データを指導案と関連付けて格納する。そして、教室等に設置される教室端末は、教育サーバに格納される教育データを、指導案に基づいて教室内に設置されたスクリーン等に表示する。
【０００３】
【特許文献１】
特開２００２−７２８５０号公報（第５−１５頁、第１図）
【０００４】
【発明が解決しようとする課題】
特許文献１に記載された授業支援システムでは、教材サーバは、配信サーバから配信された教材データをそのまま蓄積しているにすぎない。そのため、教材データに映像データが含まれていると、学校内等に映像データを蓄積するためのデータベースサーバ等を設置しなければならない場合がある。従って、システム内の機器等の設置や維持のためのコストが増大する場合がある。
【０００５】
また、特許文献１に記載された授業支援システムでは、教材サーバは、教室端末等に教材データを提供しているにすぎない。従って、教師等が生徒等の学習履歴を確認することはできない。
【０００６】
そこで、本発明は、教材データが映像部分を含む場合に、組織内の機器等の設置や維持のためのコストを低減できるようにすることを目的とする。また、学習対象者の学習履歴を確認できるようにすることを目的とする。
【０００７】
【課題を解決するための手段】
本発明による学習システムは、組織内における学習対象者が使用する利用者端末（例えば、利用者端末１０）と、学習対象者の学習履歴を管理する学習管理サーバ（例えば、学習管理サーバ３０）と、通信ネットワーク（例えば、インターネット１００）を介して利用者端末及び学習管理サーバと接続され、教材に関する映像情報を配信する映像配信サーバ（例えば、映像配信サーバ７０）とを含む学習システムであって、学習管理サーバは、学習対象者に提供する教材のうち、映像以外の部分の情報である非映像教材情報（例えば、教材データベース３６が記憶する教材テキスト情報）を記憶する非映像教材情報記憶手段（例えば、教材データベース３６によって実現される）と、非映像情報記憶手段から非映像教材情報を抽出して、抽出した非映像教材情報を、組織内通信ネットワーク（例えば、ＬＡＮ９０）を介して利用者端末に送信する非映像教材情報送信手段（例えば、ネットワークインタフェース部３５と、記憶装置３２が記憶するプログラムを実行する制御部３１とによって実現される）とを備え、映像配信サーバは、学習対象者に提供する教材のうち、映像部分の情報である映像教材情報（例えば、映像配信サーバ７０が備えるデータベース装置が記憶する教材映像情報）を記憶する映像教材情報記憶手段（例えば、映像配信サーバ７０が備えるデータベース装置によって実現される）と、映像情報記憶手段から映像教材情報を抽出して、抽出した映像教材情報を、通信ネットワークを介して利用者端末に配信する映像教材情報配信手段（例えば、映像配信サーバ７０のネットワークインタフェース部と、映像配信サーバ７０の記憶装置が記憶するプログラムを実行する映像配信サーバ７０の制御部とによって実現される）とを備えたことを特徴とする。
【０００８】
映像配信サーバは、映像教材情報配信手段が利用者端末に配信した映像教材情報に関する履歴情報である視聴履歴情報（例えば、図５に示すステップＳ１１３で送信される視聴情報）を、通信ネットワークを介して、学習管理サーバに送信する視聴履歴情報送信手段（例えば、映像配信サーバ７０のネットワークインタフェース部と、映像配信サーバ７０の記憶装置が記憶するプログラムを実行する映像配信サーバ７０の制御部とによって実現される）を備え、学習管理サーバは、視聴履歴情報を、通信ネットワークを介して映像配信サーバから受信する視聴履歴情報受信手段（例えば、ネットワークインタフェース部３５と、記憶装置３２が記憶するプログラムを実行する制御部３１とによって実現される）と、視聴履歴情報受信手段が受信した視聴履歴情報を記憶する履歴情報記憶手段（例えば、学習履歴データベース３７によって実現される）とを備えたものであることが好ましい。そのような構成によれば、企業等の組織の管理者は、視聴情報を取得して学習対象者の学習履歴を確認することができる。
【０００９】
学習管理サーバは、教材に映像部分が含まれるか否かを判定する映像判定手段（例えば、記憶装置３２が記憶するプログラムを実行する制御部３１によって実現される）と、映像判定手段が教材に映像部分が含まれると判定した場合に、映像教材情報の格納場所を示す映像格納情報（例えば、図５に示すステップＳ１０９で送信される映像ファイルアドレス及び映像ファイル名）を、組織内通信ネットワークを介して利用者端末に送信する映像格納情報送信手段（例えば、ネットワークインタフェース部３５と、記憶装置３２が記憶するプログラムを実行する制御部３１とによって実現される）とを備え、利用者端末は、映像格納情報に基づいて、映像教材情報の配信を要求する旨の映像配信要求情報（例えば、図５に示すステップＳ１１０で送信される映像開始情報）を、通信ネットワークを介して映像配信サーバに送信するものであってもよい。そのような構成によれば、教材に映像部分がある場合にのみ映像配信サーバに映像配信を要請でき、映像配信の処理の効率化が図れる。
【００１０】
学習管理サーバは、学習対象者の学習の履歴情報である学習履歴情報（例えば、図５に示すステップＳ１１５で送信される学習履歴情報）を、組織内通信ネットワークを介して、利用者端末から受信する学習履歴情報受信手段（例えば、ネットワークインタフェース部３５と、記憶装置３２が記憶するプログラムを実行する制御部３１とによって実現される）を備え、履歴情報記憶手段は、視聴履歴情報とともに、学習履歴情報受信手段が受信した学習履歴情報を記憶するものであってもよい。そのような構成によれば、学習履歴情報に含まれるテストの結果情報等に基づいて、学習対象者が学習状況等の自己分析をすることができる。また、企業等の組織の管理者は、管理する学習対象者の学習成績等を把握することができる。
【００１１】
学習システムは、複数の映像配信サーバを含むものであってもよい。そのような構成によれば、学習管理システムの学習対象者等は、様々な教材提供業者が教材を提供する複数の映像配信サーバから教材の配信を受けることができる。
【００１２】
本発明による学習管理サーバは、組織内における学習対象者の学習履歴を管理する学習管理サーバであって、学習対象者に提供する教材のうち、映像以外の部分の情報である非映像教材情報を記憶する非映像教材情報記憶手段と、非映像情報記憶手段から非映像教材情報を抽出して、抽出した非映像教材情報を、組織内通信ネットワークを介して学習対象者が使用する利用者端末に送信する非映像教材情報送信手段と、通信ネットワークを介して利用者端末及び学習管理サーバと接続され、学習対象者に提供する教材のうち映像部分の情報である映像教材情報を管理する映像配信サーバが、利用者端末に配信した映像教材情報に関する履歴情報である視聴履歴情報を、通信ネットワークを介して映像配信サーバから受信する視聴履歴情報受信手段と、視聴履歴情報受信手段が受信した視聴履歴情報を記憶する履歴情報記憶手段とを備えたことを特徴とする。
【００１３】
本発明による映像配信サーバは、組織内の学習対象者が使用する利用者端末及び学習対象者の学習履歴を管理する学習管理サーバと通信ネットワークを介して接続され、教材に関する映像情報を配信する映像配信サーバであって、学習対象者に提供する教材のうち、映像部分の情報である映像教材情報を記憶する映像教材情報記憶手段と、映像情報記憶手段から映像教材情報を抽出して、抽出した映像教材情報を、通信ネットワークを介して利用者端末に配信する映像教材情報配信手段と、映像教材情報配信手段が利用者端末に配信した映像教材情報に関する履歴情報である視聴履歴情報を、通信ネットワークを介して、学習管理サーバに送信する視聴履歴情報送信手段とを備えたことを特徴とする。
【００１４】
映像配信サーバは、映像教材情報配信手段が利用者端末に映像教材情報を連続して配信した配信時間（例えば、図４に示す視聴時間４０７）を算出し、配信時間を履歴情報として含む視聴履歴情報を、通信ネットワークを介して、学習管理サーバに送信するものであってもよい。そのような構成によれば、企業等の組織の管理者は、各学習対象者が教材映像をどこまで見て学習したのかを把握することができる。また、管理者は、教材映像を全て見て学習した学習対象者と、教材映像の一部を見て学習した学習対象者との成績を比較したり、教材映像の視聴時間と成績との相関関係を把握することができる。
【００１５】
本発明による学習管理プログラムは、組織内における学習対象者の学習履歴を管理するための学習管理プログラムであって、コンピュータに、学習対象者に提供する教材のうち映像以外の部分の情報である非映像教材情報を抽出する処理と、抽出した非映像教材情報を、組織内通信ネットワークを介して学習対象者が使用する利用者端末に送信する処理と、通信ネットワークを介して利用者端末及び学習管理サーバと接続され、学習対象者に提供する教材のうち映像部分の情報である映像教材情報を管理する映像配信サーバが、利用者端末に配信した映像教材情報に関する履歴情報である視聴履歴情報を、通信ネットワークを介して映像配信サーバから受信する処理と、学習対象者の学習の履歴情報である学習履歴情報を、組織内通信ネットワークを介して利用者端末から受信する処理とを実行させることを特徴とする。
【００１６】
【発明の実施の形態】
以下、本発明の実施の形態を図面を参照して説明する。本実施の形態においては、企業内における従業員に対して、文字、映像、静止画等を含む教材を用いてオンライン教育を行う学習システムにおいて、企業内の管理者が部下の学習履歴を管理するための学習管理システムを例に説明する。また、企業の学習管理システムに対して教材映像を提供する映像配信サーバを例に説明する。
【００１７】
図１は、本発明による学習管理システム及び映像配信サーバが適用される学習システムの構成の例を示すブロック図である。図１に示すように、企業５０内の学習管理システムにおいて、学習対象者である企業５０の従業員が使用する利用者端末１０と、管理者が使用する管理者端末２０と、学習履歴の情報等を管理する学習管理サーバ３０とがＬＡＮ（Local Area Network）９０に接続される。また、企業５０内のＬＡＮ９０は、インターネット１００に接続される。図１に示すように、学習管理システムは、インターネット１００を介して、教材に関する映像データを蓄積する映像配信サーバ７０に接続される。
【００１８】
なお、学習管理システムの各機器は、ＬＡＮ９０以外の通信ネットワークに接続されているものであってもよい。また、学習管理システムは、インターネット１００以外の通信ネットワークを介して、映像配信サーバ７０に接続されているものであってもよい。
【００１９】
企業５０外に設置される映像配信サーバ７０は、教材に含まれる映像データを配信する映像配信サービスを提供する映像配信事業者によって運営される。企業５０と映像配信事業者とは、予め映像配信サービス提供の契約を締結している。また、映像配信サーバ７０は、映像配信サービス提供の契約に基づいて、予め学習管理システムの学習管理サーバ３０に登録される。
【００２０】
映像配信サーバ７０は、ワークステーション等の情報処理装置である。映像配信サーバ７０は、教材に関する映像データを蓄積するデータベース装置（図示せず）を備える。映像配信サーバ７０は、データベース装置が記憶する映像データを管理する。また、映像データは、予め教材提供業者等によって提供され、データベース装置に記憶される。映像配信サーバ７０は、学習管理サーバ３０からの要求に応じて、映像データをデータベース装置から抽出して、インターネット１００及びＬＡＮ９０を介して利用者端末１０に配信する。なお、映像配信サーバ７０は、１台に限らず複数台がインターネット１００に接続されていてもよい。
【００２１】
映像教材情報記憶手段は、映像配信サーバ７０が備えるデータベース装置によって実現される。映像教材情報配信手段、及び視聴履歴情報送信手段は、映像配信サーバ７０のネットワークインタフェース部（ＬＡＮボード等）と、映像配信サーバ７０の記憶装置が記憶するプログラムを実行する映像配信サーバ７０の制御部とによって実現される。
【００２２】
利用者端末１０は、パーソナルコンピュータ等の情報処理端末である。利用者端末１０は、Ｗｅｂコンテンツを表示するためのブラウザ等がインストールされた端末である。従業員は、利用者端末１０に、学習管理サーバ３０や映像配信サーバ７０から取得した教材を表示させて学習を行う。なお、利用者端末１０は、１台に限らず複数台がＬＡＮ９０に接続されていてもよい。また、Ｗｅｂコンテンツを表示する機能を備えた端末であれば、例えば、ＰＤＡ（Personal DigitalAssistant）等の端末であってもよい。
【００２３】
管理者端末２０は、パーソナルコンピュータ等の情報処理端末である。管理者端末２０は、ブラウザ等がインストールされた端末である。管理者は、管理者端末２０に、学習管理サーバ３０から取得した学習履歴に関する情報を表示させて従業員の学習管理を行う。なお、管理者端末２０は、１台に限らず複数台がＬＡＮ９０に接続されていてもよい。また、Ｗｅｂコンテンツを表示する機能を備えた端末であれば、例えば、ＰＤＡ等の端末であってもよい。
【００２４】
学習管理サーバ３０は、ワークステーション等の情報処理装置である。図２は、学習管理サーバ３０の構成の例を示すブロック図である。図２に示すように、学習管理サーバ３０は、プログラム等を記憶する記憶装置３２と、記憶装置３２に記憶されるプログラムを実行する制御部３１と、キーボードやマウス等の入力装置である入力部３３と、ディスプレイ装置等の出力部３４と、ＬＡＮボード等のネットワークインタフェース部３５と、教材に関する情報を記憶する教材データベース３６と、従業員の学習履歴に関する情報を記憶する学習履歴データベース３７とを含む。
【００２５】
本実施の形態において、記憶装置３２は、コンピュータに、学習対象者に提供する教材のうち映像以外の部分の情報である非映像教材情報を抽出する処理と、抽出した非映像教材情報を、組織内通信ネットワークを介して学習対象者が使用する利用者端末に送信する処理と、通信ネットワークを介して利用者端末及び学習管理サーバと接続され、学習対象者に提供する教材のうち映像部分の情報である映像教材情報を管理する映像配信サーバが、利用者端末に配信した映像教材情報に関する履歴情報である視聴履歴情報を、通信ネットワークを介して映像配信サーバから受信する処理と、学習対象者の学習の履歴情報である学習履歴情報を、組織内通信ネットワークを介して利用者端末から受信する処理とを実行させるための学習管理プログラムを記憶する。
【００２６】
記憶装置１２は、制御部３１に実行させるプログラムの他に利用者端末１０及び管理者端末２０に表示させる各種Ｗｅｂページの情報を記憶する。例えば、利用者端末１０が教材を表示する表示画面となるＷｅｂページや、管理者端末２０が従業員の学習履歴に関する情報を表示する表示画面となるＷｅｂページの情報を記憶する。各Ｗｅｂページの画面情報は、ＨＴＭＬ（HyperText Markup Language ）、ＸＭＬ（eXtensible Markup Language）等のページ記述言語によって記述された情報である。Ｗｅｂページは、利用者端末１０及び管理者端末２０において、ＵＲＬ（Uniform Resource Locator）が入力されたり、画面上のリンクが設定された部分がマウスクリックされることによって指定される。
【００２７】
非映像教材情報記憶手段は、教材データベース３６によって実現される。履歴情報記憶手段は、学習履歴データベース３７によって実現される。非映像教材情報送信手段、視聴履歴情報受信手段、映像格納情報送信手段、学習履歴情報受信手段は、ネットワークインタフェース部３５と、記憶装置３２が記憶するプログラムを実行する制御部３１とによって実現される。映像判定手段は、記憶装置３２が記憶するプログラムを実行する制御部３１によって実現される。
【００２８】
図３は、教材データベース３６が記憶する内容の例を示す説明図である。図３に示すように、教材データベース３６には、教材名３０１と、概要説明３０２と、教材ファイル３０３との情報が記憶される。
【００２９】
教材名３０１は、各教材の名称の情報である。概要説明３０２は、各教材の学習内容の概要説明の情報である。例えば、図３に示すように、教材名３０１として「パソコン活用１」や「ネットワーク入門」等の教材名の情報が記憶される。また、概要説明３０２として「メモリの増設方法を学習します。」や「機器の接続方法を学習します。」等の概要説明の情報が記憶される。
【００３０】
教材ファイル３０３は、従業員に提供される教材データのうち、教材データベース３６が記憶するデータである。教材データは、テキスト部分と映像部分とを含んだデータ、またはテキスト部分のみで構成されたデータである。例えば、映像部分には、講師による講義の映像や実習映像等の映像データが含まれる。テキスト部分には、講師が講義で使用する資料の文字情報等が含まれる。教材データベース３６は、教材データのうち、映像データ以外のテキスト部分の情報を記憶する。以下、教材データベース３６が記憶するテキスト部分の情報を教材テキスト情報と記す。
【００３１】
図３に示すように、教材テキスト情報は、ＨＴＭＬ言語で記載された情報である。例えば、図３に示すように、教材ファイル３０３として「xxx.htm 」と記憶される。なお、教材テキスト情報は、ＸＭＬ等他のページ記述言語で記載された情報であってもよい。また、教材テキスト情報は、テキストデータ以外に図表や静止画等の情報を含むものであってもよい。
【００３２】
なお、教材データのうち、映像部分の情報は、映像配信サーバ７０が備えるデータベース装置に記憶される。以下、映像配信サーバ７０が備えるデータベース装置が記憶する映像部分の情報を教材映像情報と記す。教材映像情報は、映像データ以外に音声データ等を含むものであってもよい。また、テキスト部分のみで構成され映像部分を含まない教材データについては、教材テキスト情報のみが教材データベース３６に記憶される。
【００３３】
図４は、学習履歴データベース３７が記憶する内容の例を示す説明図である。図４に示すように、学習履歴データベース３７には、ユーザＩＤ４０１と、学習日４０２と、学習時間４０３と、学習教材４０４と、テスト成績４０５と、映像ファイル名４０６と、視聴時間４０７との情報が記憶される。
【００３４】
ユーザＩＤ４０１は、各従業員の識別情報である。例えば、図４に示すように、ユーザＩＤ４０１として「abc 」や「ppp 」等の各従業員のＩＤが記憶される。学習日４０２は、従業員が学習した日である。例えば、図４に示すように、学習日４０２として「Ｘ月ＸＸ日」や「Ｓ月ＳＳ日」等と記憶される。学習時間４０３は、従業員が学習した時間である。例えば、図４に示すように、学習時間４０３として「Ｙ時〜Ｚ時」や「Ｐ時〜Ｑ時」等と記憶される。学習教材４０４は、従業員が学習した教材の名称の情報である。例えば、図４に示すように、学習教材４０４として「ネットワーク入門」や「パソコン活用１」等の教材名の情報が記憶される。テスト成績４０５は、従業員が学習中に受けたテストの成績の情報である。例えば、図４に示すように、テスト成績４０５として「○○点」や「△△点」等と記憶される。
【００３５】
映像ファイル名４０６は、従業員が学習した教材データに対応する教材映像情報のファイル名である。また、視聴時間４０７は、教材映像情報の配信を受けた従業員がその教材映像情報を視聴した時間である。すなわち、視聴時間４０７として、従業員が教材映像情報をどこまで視聴したかを示す情報が記憶される。例えば、図４に示すように、教材データに映像部分が含まれる場合には、映像ファイル名４０６として「aaa.mpg 」等と記憶される。また、視聴時間４０７として「mm分間」等と記憶される。
【００３６】
次に、動作について説明する。図５は、従業員に教材を提供する処理及び従業員の学習履歴の確認処理の処理経過の例を示す流れ図である。利用者端末１０は、従業員の操作に従って、学習管理サーバ３０にログインしてアクセスする。利用者端末１０は、学習管理サーバ３０に、ＬＡＮ９０を介して教材データの概要情報を要求する（ステップＳ１０１）。利用者端末１０から概要情報の要求を受信すると、学習管理サーバ３０の制御部３１は、教材データベース３６から教材名３０１と概要説明３０２との情報を抽出する。以下、教材名３０１と概要説明３０２とを含む情報を教材概要情報と記す。そして、制御部３１は、抽出した全ての教材概要情報を、ＬＡＮ９０を介して利用者端末１０に送信する（ステップ１０２）。
【００３７】
例えば、制御部３１は、図３に示す教材データベース３６から、教材名３０１「パソコン活用１」と概要説明３０２「メモリの増設の方法を学習します。」とを教材概要情報として抽出する。また、制御部３１は、教材名３０１「ネットワーク入門」と概要説明３０２「機器の接続方法を学習します。」とを教材概要情報として抽出する。また、制御部３１は、教材名３０１「ビジネスマナー３」と概要説明３０２「挨拶の仕方を学習します。」とを教材概要情報として抽出する。そして、制御部３１は、抽出したこれら３つの教材概要情報を、ＬＡＮ９０を介して利用者端末１０に送信する（ステップＳ１０２）。学習管理サーバ３０から教材概要情報を受信すると、利用者端末１０は、教材概要情報の一覧のＷｅｂページを表示する（ステップＳ１０３）。
【００３８】
図６は、教材概要情報の一覧表示の表示画面の例を示す説明図である。図６に示すように、表示画面には、教材名を表示する教材名６０１と、教材の概要説明を表示する概要６０２と、選択欄６０３と、学習開始ボタン６０４とが含まれる。教材名６０１には、教材概要情報に含まれる教材名３０１が表示される。例えば、図６に示すように、教材名６０１に「パソコン活用１」や「ネットワーク入門」等と表示される。概要６０２には、教材概要情報に含まれる概要説明３０２が表示される。例えば、図６に示すように、概要６０２に「メモリの増設の方法を学習します」や「機器の接続方法を学習します」等と表示される。
【００３９】
従業員は、教材概要情報の一覧表示の表示画面を確認し、学習したい教材を選択する。従業員によって教材が選択されると、利用者端末１０は、学習管理サーバ３０に、ＬＡＮ９０を介して選択された教材データを要求する（ステップＳ１０４）。
【００４０】
例えば、図６に示すように、従業員は、教材「ネットワーク入門」を学習したい場合には、教材「ネットワーク入門」の選択欄６０３をマウスクリックし選択状態（例えば、選択欄６０３に「レ」記号が表示された状態）にする。そして、従業員は、学習開始ボタン６０４をマウスクリックする。利用者端末１０は、従業員によって学習開始ボタン６０４がマウスクリックされると、学習管理サーバ３０に、ＬＡＮ９０を介して選択された教材データを要求する（ステップＳ１０４）。
【００４１】
利用者端末１０から教材データの要求を受信すると、学習管理サーバ３０の制御部３１は、教材データベース３６から、要求された教材データに対応する教材テキスト情報をを抽出する。そして、制御部３１は、抽出した教材テキスト情報を、ＬＡＮ９０を介して利用者端末１０に送信する（ステップＳ１０５）。例えば、図６に示す表示画面から教材「ネットワーク入門」が選択された場合には、制御部３１は、図３に示す教材データベース３６から教材テキスト情報「yyy.htm 」を抽出する。そして、制御部３１は、教材テキスト情報「yyy.htm 」を、ＬＡＮ９０を介して利用者端末１０に送信する（ステップＳ１０５）。
【００４２】
制御部３１は、要求された教材データに映像部分が含まれるか否かを判定する（ステップＳ１０６）。例えば、制御部３１は、ステップＳ１０５で抽出した教材テキスト情報のＨＴＭＬ文にリンクの記述があるか否かを判定する。リンクの記述がある場合には、制御部３１は、制御部３１は、要求された教材データに映像部分が含まれると判定する。リンクの記述がない場合には、制御部３１は、要求された教材データに映像部分が含まれないと判定する。
【００４３】
ステップＳ１０６において、教材データに映像部分が含まれると判定した場合には、制御部３１は、教材テキスト情報のＨＴＭＬ文のリンクの記述から、教材映像情報の格納先と映像ファイル名とを抽出する。制御部３１は、抽出した格納先と映像ファイル名とに基づいて、要求された教材データに対応する教材映像情報を管理する映像配信サーバ７０にアクセスする。そして、制御部３１は、映像配信サーバ７０に、ＬＡＮ９０及びインターネット１００を介して、映像ファイルアドレスを要求する（ステップＳ１０７）。
【００４４】
映像ファイルアドレスの要求を受信すると、映像配信サーバ７０は、要求された映像ファイルアドレスを、インターネット１００及びＬＡＮ９０を介して、学習管理サーバ３０に送信する（ステップＳ１０８）。映像ファイルアドレスを受信すると、学習管理サーバ３０の制御部３１は、受信した映像ファイルアドレスと、ステップＳ１０７で抽出した映像ファイル名とを、ＬＡＮ９０を介して利用者端末１０に送信する（ステップＳ１０９）。
【００４５】
映像ファイルアドレス及び映像ファイル名の情報を受信すると、利用者端末１０は、受信した映像ファイルアドレスに基づいて映像配信サーバ７０にアクセスする。そして、利用者端末１０は、受信した映像ファイル名と利用者端末１０を使用している従業員のユーザＩＤとを含む情報を、ＬＡＮ９０及びインターネット１００を介して映像配信サーバ７０に送信する（ステップＳ１１０）。以下、映像ファイル名と従業員のユーザＩＤとを含む情報を映像開始情報と記す。
【００４６】
映像開始情報を受信すると、映像配信サーバ７０は、映像開始情報に含まれる映像ファイル名に基づいて、データベース装置から教材映像情報を抽出する。そして、映像配信サーバ７０は、インターネット１００及びＬＡＮ９０を介して利用者端末１０に抽出した教材映像情報の配信を開始する（ステップＳ１１１）。また、映像配信サーバ７０は、教材映像情報の配信を開始した時間を記憶する。
【００４７】
利用者端末１０は、学習管理サーバ３０から教材テキスト情報を受信すると、受信した教材テキスト情報に基づいて教材のテキスト部分を表示する（ステップＳ１１２）。また、利用者端末１０は、映像配信サーバ７０から教材映像情報の配信を開始されると、配信される教材映像情報に基づいて教材の映像部分の再生画面を表示する（ステップＳ１１２）。
【００４８】
図７は、利用者端末１０が表示する教材の表示画面の例を示す説明図である。図７に示すように、教材の表示画面には、教材のテキスト部分を表示するテキスト文表示部７０１と、映像部分を表示する映像表示部７０２と、映像の再生を停止するための停止ボタン７０３と、映像の再生を開始するための再生ボタン７０４と、映像の再生を一時停止するための一時停止ボタン７０５とが含まれる。例えば、利用者端末１０は、学習管理サーバ３０から受信した教材テキスト情報に含まれるテキスト文をテキスト文表示部７０１に表示する（ステップＳ１１２）。
【００４９】
また、映像表示部７０２には、映像配信サーバ７０が管理する教材映像情報がリンクされている。従業員が再生ボタン７０４をマウスクリックすると、利用者端末１０は、映像開始情報を、ＬＡＮ９０及びインターネット１００を介して映像配信サーバ７０に送信する（ステップＳ１１０）。そして、映像配信サーバ７０から教材映像情報の配信が開始されると、利用者端末１０は、配信される教材映像情報に基づいて映像の再生画面を映像表示部７０２に表示する（ステップＳ１１２）。なお、配信される教材映像情報が音声データを含む場合には、利用者端末１０は、教材映像情報が含む音声データに基づいて音声を出力してもよい。
【００５０】
なお、教材データにテスト問題等が含まれる場合には、利用者端末１０は、従業員の操作に従って答案データを作成する。利用者端末１０は、作成した答案データを、ＬＡＮ９０を介して学習管理サーバ３０に送信する。答案データを受信すると、学習管理サーバ３０の制御部３１は、受信した答案データに対する採点結果のデータを生成する。そして、制御部３１は、生成した採点結果のデータを、ＬＡＮ９０を介して利用者端末１０に送信する。
【００５１】
従業員が学習を終えて映像の再生が停止されると、映像配信サーバ７０は、教材映像情報の配信を停止する。また、映像配信サーバ７０は、教材映像情報の配信を停止した時間を記憶する。映像配信サーバ７０は、記憶した配信の停止時間と、ステップＳ１１１で記憶した配信の開始時間とに基づいて、利用者端末１０への教材映像情報の配信時間を算出する。以下、算出した配信時間を視聴時間と記す。そして、映像配信サーバ７０は、視聴時間と、映像開始情報に含まれるユーザＩＤ及び映像ファイル名とを含む情報を、インターネット１００及びＬＡＮ９０を介して学習管理サーバ３０に送信する（ステップＳ１１３）。以下、ユーザＩＤ、映像ファイル名、及び視聴時間を含む情報を視聴情報と記す。
【００５２】
視聴情報を受信すると、学習管理サーバ３０の制御部３１は、受信した視聴情報を学習履歴データベース３７に記憶させる（ステップＳ１１４）。例えば、映像配信サーバ７０から、ユーザＩＤ「abc 」、映像ファイル名「aaa.mpg 」、及び視聴時間「mm分間」とを含む視聴情報を受信した場合について説明する。制御部３１は、視聴情報に含まれるユーザＩＤ「abc 」を、図４に示す学習履歴データベース３７にユーザＩＤ４０１として記憶させる。制御部３１は、視聴情報に含まれる映像ファイル名「aaa.mpg 」を、図４に示す学習履歴データベース３７に映像ファイル名４０６として記憶させる。また、制御部３１は、視聴情報に含まれる視聴時間「mm分間」を、図４に示す学習履歴データベース３７に視聴時間４０７として記憶させる。
【００５３】
従業員が学習を終えると、利用者端末１０は、ユーザＩＤと、学習日と、学習時間と、学習教材と、テスト成績とを、ＬＡＮ９０を介して学習管理サーバ３０に送信する（ステップＳ１１５）。以下、ユーザＩＤ、学習日、学習時間、学習教材、及びテスト成績を含む情報を学習履歴情報と記す。学習履歴情報を受信すると、学習管理サーバ３０の制御部３１は、受信した学習履歴情報を学習履歴データベース３７に記憶させる（ステップＳ１１６）。ステップＳ１１６において、制御部３１は、学習履歴情報を、ステップＳ１１４で受信した視聴情報と対応付けて、学習履歴データベース３７に記憶させる。
【００５４】
例えば、利用者端末１０からユーザＩＤ「abc 」、学習日「Ｘ月ＸＸ日」、学習時間「Ｙ時〜Ｚ時」、学習教材「ネットワーク入門」、及びテスト成績「○○点」とを含む学習履歴情報を受信した場合を例に説明する。制御部３１は、学習履歴情報に含まれるユーザＩＤ「abc 」に基づいて、学習履歴データベース３７が記憶する視聴情報のうち、受信した学習履歴情報が図４に示すユーザＩＤ４０１「abc 」の視聴情報と対応すると特定する。
【００５５】
制御部３１は、学習履歴情報に含まれる学習日「Ｘ月ＸＸ日」を、ユーザＩＤ４０１「abc 」に対応する学習日４０２として記憶させる。制御部３１は、学習履歴情報に含まれる学習時間「Ｙ時〜Ｚ時」を、ユーザＩＤ４０１「abc 」に対応する学習時間４０３として記憶させる。制御部３１は、学習履歴情報に含まれる学習教材「ネットワーク入門」を、ユーザＩＤ４０１「abc 」に対応する学習教材４０４として記憶させる。また、制御部３１は、学習履歴情報に含まれるテスト成績「○○点」を、ユーザＩＤ４０１に対応するテスト成績４０５として記憶させる。
【００５６】
ステップＳ１０６において、教材データに映像部分が含まれないと判定した場合には、学習管理サーバ３０の制御部３１は、映像ファイルアドレスの要求処理（ステップＳ１０７）を実行しない。従って、ステップＳ１０７からステップＳ１１１までの処理は実行されない。また、教材データに映像部分が含まれないと判定した場合には、映像配信サーバ７０は、教材映像情報の配信及び視聴情報の送信をしない。従って、ステップＳ１１１、ステップＳ１１３、及びステップＳ１１４の処理は、実行されない。
【００５７】
また、教材データに映像部分が含まれないと判定した場合には、ステップＳ１１２において、利用者端末１０は、教材テキスト情報のみに基づいて、教材を表示する。例えば、利用者端末１０は、図７に示す表示画面のテキスト文表示部７０１に教材テキスト情報に含まれるテキスト文を表示し、映像表示部７０２には何も表示しない。
【００５８】
また、教材データに映像部分が含まれないと判定した場合には、学習履歴データベース３７に視聴情報は記憶されない。従って、ステップＳ１１６において、学習管理サーバ３０の制御部３１は、利用者端末１０から受信した学習履歴情報と視聴情報との対応付を行わず、利用者端末１０からの学習履歴情報をそのまま学習履歴データベース３７に記憶させる。
【００５９】
次に、管理者による従業員の学習履歴の確認の動作について説明する。管理者端末２０は、管理者の操作に従って、学習管理サーバ３０にログインしアクセスする。管理者端末２０は、学習管理サーバ３０に、ＬＡＮ９０を介して教材概要情報、学習履歴情報、及び視聴情報を要求する（ステップＳ１１７）。以下、教材概要情報、学習履歴情報、及び視聴情報を含む情報を、学習履歴確認情報と記す。学習履歴確認情報の要求を受信すると、学習管理サーバ３０の制御部３１は、学習履歴データベース３７から、学習履歴情報及び視聴情報を抽出する。また、制御部３１は、抽出した学習履歴情報及び視聴情報に対応する教材概要情報を、教材データベース３６から抽出する。そして、制御部３１は、抽出した教材概要情報、学習履歴情報、及び視聴情報を、学習履歴確認情報としてＬＡＮ９０を介して管理者端末２０に送信する（ステップＳ１１８）。
【００６０】
例えば、ユーザＩＤが「abc 」である従業員の学習履歴確認情報が要求された場合を例に説明する。制御部３１は、図４に示す学習履歴データベース３７から、ユーザＩＤ４０１「abc 」、学習日４０２「Ｘ月ＸＸ日」、学習時間４０３「Ｙ時〜Ｚ時」、学習教材４０４「ネットワーク入門」、テスト成績４０５「○○点」、映像ファイル名４０６「aaa.mpg 」、及び視聴時間４０７「mm分間」を抽出する。制御部３１は、抽出した学習教材４０４「ネットワーク入門」に基づいて、学習履歴データベース３７から、教材名３０１「ネットワーク入門」及び概要説明３０２「機器の接続方法を学習します。」を抽出する。そして、制御部３１は、抽出したこれらの情報を学習履歴確認情報として、ＬＡＮ９０を介して管理者端末２０に送信する（ステップＳ１１８）。
【００６１】
学習管理サーバ３０から学習履歴確認情報を受信すると、管理者端末２０は、受信した学習履歴確認情報の表示画面であるＷｅｂページを表示する（ステップＳ１１９）。そして、管理者は、学習履歴確認情報の表示画面を確認し、従業員の学習の進捗状況等を確認する。
【００６２】
また、映像配信サーバ７０は、利用者端末１０に教材映像情報を配信する際に、配信したデータのデータ量やアクセス時間等を算出する。映像配信事業者は、データ量やアクセス時間等に基づいて学習対象者や企業等から教材情報提供料を得ることができる。また、映像配信事業者は、教材提供業者等に対して、映像配信サーバ７０を販売または貸与することによって、売上料またはレンタル料等を得ることができる。また、教材提供業者等は、映像配信サーバ７０を介して企業等に教材を提供することによって教材情報提供料を得ることができる。
【００６３】
また、学習管理システムを利用する企業等は、映像配信事業者から、映像配信サーバ７０を賃借し、作成または購入した教材等に含まれる映像データを映像配信サーバ７０に登録することができる。さらに、企業等は、自ら作成した教材だけでなく、教材提供業者等が映像配信サーバ７０に登録した教材の配信を受けることができる。
【００６４】
以上のように、本発明によれば、教材データが映像部分の情報を含む場合には、映像部分の情報を、インターネット１００を介して、外部に接続される映像配信サーバ７０から利用者端末１０に配信する。そのため、企業５０の学習管理システムに映像配信サーバ７０を設置することなく、映像部分の情報を利用者端末１０に配信できる。従って、企業５０側の機器の設置や維持のためのコストを低減することができる。
【００６５】
また、映像部分の情報が利用者端末１０に配信された場合に、学習管理サーバ３０は、映像配信サーバ７０から視聴時間を含む視聴情報を取得する。そして、学習管理サーバ３０は、取得した視聴情報を学習履歴データベース３７に記憶し管理する。そのため、管理者は、学習管理サーバ３０から視聴情報を取得して、学習対象者の学習履歴を確認することができる。従って、管理者は、各学習対象者が教材映像をどこまで見て学習したのかを把握することができる。また、管理者は、教材映像を全て見て学習した学習対象者と、教材映像の一部を見て学習した学習対象者との成績を比較したり、教材映像の視聴時間と成績との相関関係を把握することができる。
【００６６】
また、学習管理サーバ３０は、任意の映像配信事業者の映像配信サーバ７０を登録し、利用者端末１０が教材映像を配信された場合には、映像配信サーバ７０から視聴情報を取得する。そのため、学習管理システムは、映像配信サービスによって様々な教材提供業者から提供された教材の配信を受けることができる。
【００６７】
さらに、学習管理サーバ３０は、複数の映像配信事業者の映像配信サーバ７０を登録し、映像配信サーバ７０から視聴情報を取得することができる。そのため、学習システムの学習対象者等は、様々な教材提供業者が教材を提供する複数の映像配信サーバ７０から教材の配信を受けることができる。
【００６８】
なお、本実施の形態においては、企業内において従業員の学習履歴を管理する学習管理システムを例に説明したが、学習管理システムは、企業以外の組織の学習対象者の学習履歴を管理するものであってもよい。
【００６９】
また、本実施の形態においては、利用者端末１０が教材を表示する際に、教材の映像部分と映像以外の部分とを同一の表示画面に表示する場合を例に説明したが、映像部分と映像以外の部分とを別々の表示画面に表示してもよい。例えば、利用者端末１０は、ブラウザの表示画面とは別に映像プレーヤの表示画面に教材の映像部分を表示してもよい。また、利用者端末１０は、ブラウザではなく教材を表示するための専用のソフトウェアがインストールされたものであってもよい。さらに、管理者端末２０は、ブラウザではなく学習履歴確認情報を表示するための専用のソフトウェアがインストールされたものであってもよい。
【００７０】
また、教材データのうち映像以外の部分の情報を学習管理サーバ３０がデータベースに記憶するのでなく、映像配信サーバ７０が映像部分とともに映像以外の部分の情報をデータベース装置に記憶し管理するようにしてもよい。例えば、本実施の形態における教材テキスト情報と教材映像情報の双方を、映像配信サーバ７０が管理するようにしてもよい。
【００７１】
また、教材概要情報、学習履歴情報、及び視聴情報は、本実施の形態において示した情報以外の情報を含むものであってもよい。例えば、教材データが映像部分を含むか否かにかかわらず、利用者端末１０は、学習中に学習対象者が参照した資料のページを記録してもよい。この場合に、利用者端末１０は、学習対象者が教材のうちのどのページを参照したかを示す情報を含んだ学習履歴情報を、ＬＡＮ９０を介して学習管理サーバ３０に送信してもよい。そのようにすれば、学習対象者は、学習を途中で終了した場合に、次回の学習時にその続きから学習を再開することができる。
【００７２】
【発明の効果】
本発明による学習システムによれば、学習管理サーバが、非映像情報記憶手段から非映像教材情報を抽出して、抽出した非映像教材情報を、組織内通信ネットワークを介して利用者端末に送信する非映像教材情報送信手段を備え、映像配信サーバが、映像情報記憶手段から映像教材情報を抽出して、抽出した映像教材情報を、通信ネットワークを介して利用者端末に配信する映像教材情報配信手段を備えるように構成したので、企業等の組織の学習管理システムに映像配信サーバを設置することなく、映像部分の情報を利用者端末に配信できる。従って、企業等の組織側の機器の設置や維持のためのコストを低減することができる。
【００７３】
本発明による学習管理サーバによれば、非映像情報記憶手段から非映像教材情報を抽出して、抽出した非映像教材情報を、組織内通信ネットワークを介して学習対象者が使用する利用者端末に送信する非映像教材情報送信手段と、通信ネットワークを介して利用者端末及び学習管理サーバと接続され、学習対象者に提供する教材のうち映像部分の情報である映像教材情報を管理する映像配信サーバが、利用者端末に配信した映像教材情報に関する履歴情報である視聴履歴情報を、通信ネットワークを介して映像配信サーバから受信する視聴履歴情報受信手段とを備えるように構成したので、企業等の組織の学習管理システムに映像配信サーバを設置することなく、映像部分の情報を利用者端末に配信できる。従って、企業等の組織側の機器の設置や維持のためのコストを低減することができる。また、企業等の組織の管理者は、視聴情報を取得して学習対象者の学習履歴を確認することができる。
【００７４】
本発明による映像配信サーバによれば、映像情報記憶手段から映像教材情報を抽出して、抽出した映像教材情報を、通信ネットワークを介して利用者端末に配信する映像教材情報配信手段と、映像教材情報配信手段が利用者端末に配信した映像教材情報に関する履歴情報である視聴履歴情報を、通信ネットワークを介して、学習管理サーバに送信する視聴履歴情報送信手段とを備えるように構成したので、企業等の組織の学習管理システムに映像配信サーバを設置することなく、映像部分の情報を利用者端末に配信できる。従って、企業等の組織側の機器の設置や維持のためのコストを低減することができる。また、企業等の組織の管理者は、視聴情報を取得して学習対象者の学習履歴を確認することができる。
【００７５】
本発明による学習管理プログラムによれば、コンピュータに、学習対象者に提供する教材のうち映像以外の部分の情報である非映像教材情報を抽出する処理と、抽出した非映像教材情報を、組織内通信ネットワークを介して学習対象者が使用する利用者端末に送信する処理と、通信ネットワークを介して利用者端末及び学習管理サーバと接続され、学習対象者に提供する教材のうち映像部分の情報である映像教材情報を管理する映像配信サーバが、利用者端末に配信した映像教材情報に関する履歴情報である視聴履歴情報を、通信ネットワークを介して映像配信サーバから受信する処理と、学習対象者の学習の履歴情報である学習履歴情報を、組織内通信ネットワークを介して利用者端末から受信する処理とを実行させるので、企業等の組織の学習管理システムに映像配信サーバを設置することなく、映像部分の情報を利用者端末に配信できる。従って、企業等の組織側の機器の設置や維持のためのコストを低減することができる。また、企業等の組織の管理者は、視聴情報を取得して学習対象者の学習履歴を確認することができる。
【図面の簡単な説明】
【図１】本発明による学習管理システム及び映像配信サーバが適用される学習システムの構成の一例を示すブロック図である。
【図２】学習管理サーバの構成の一例を示すブロック図である。
【図３】教材データベースの内容の例を示す説明図である。
【図４】学習履歴データベースの内容の例を示す説明図である。
【図５】教材の提供及び学習履歴の確認の処理経過の一例を示す流れ図である。
【図６】教材概要情報の一覧表示の表示画面の例を示す説明図である。
【図７】教材の表示画面の例を示す説明図である。
【符号の説明】
１０  利用者端末
２０  管理者端末
３０  学習管理サーバ
３１  制御部
３２  記憶装置
３６  教材データベース
３７  学習履歴データベース
７０  映像配信サーバ
９０  ＬＡＮ
１００  インターネット
【図１】
2004206304.tif 000003
【図２】
2004206304.tif 000004
【図３】
2004206304.tif 000005
【図４】
2004206304.tif 000006
【図５】
2004206304.tif 000007
【図６】
2004206304.tif 000008
【図７】
2004206304.tif 000009